(57)【要約】【課題】バックライト装置に設けられた複数の光学シートは、光学シート間に発生する静電気と、両シートの熱による伸長差とによってシワが生じ易かった。【解決手段】異なる二方向（第一方向、第二方向）に異なる線膨張係数を有し、第一方向の線膨張係数が第二方向のそれよりも大きいという特性を持つ第一光学シートと隣接して配置される第二光学シートを、第一光学シートの第一方向と略同方向の線膨張係数を第一光学シートの第一方向の線膨張係数と近似させる。【選択図】図１
2005050802.tif 000002
【特許請求の範囲】
【請求項１】
面内における第一方向と第二方向に異なる線膨張係数を有し、前記第一方向における線膨張係数が前記第二方向の線膨張係数よりも大きい第一光学シートと、
前記前記第一光学シートに隣接して配置する第二光学シートと、を備えるバックライト装置であって、
前記第一光学シートの前記第一方向における線膨張係数と、前記第二光学シートの前記第一方向に対応する方向における線膨張係数とを近似させたことを特徴とするバックライト装置。
【請求項２】
面内における第一方向に所定値以上の線膨張係数を有する第一光学シートと、
前記第一光学シートに隣接して配置する第二光学シートと、を備えるバックライト装置であって、
前記第一光学シートの前記第一方向における線膨張係数と、前記第二光学シートの前記第一方向における線膨張係数を近似させたことを特徴とするバックライト装置。
【請求項３】
前記第一光学シートは反射偏光シートであり、
前記第二光学シートはプリズムシート、ウェーブシート、拡散シート及びＩＴＯシートからなる群の中から選択される少なくともいずれか１つであり、
前記第一方向は前記反射偏光シートの透過軸方向とすることを特徴とする請求項１または２に記載のバックライト装置。
【請求項４】
前記第二光学シートを、ポリカーボネート系樹脂、ポリスチレン系樹脂、ポリアセタール系樹脂、ナイロン６系樹脂からなる群の中から選択される少なくともいずれか１つの素材で形成することを特徴とする請求項１乃至３に記載のバックライト装置。
【請求項５】
前記第二光学シートを、前記第一光学シートに対して前記バックライト装置内に設けられる光源と反対側に配置することを特徴とする請求項１乃至４の何れかに記載のバックライト装置。
【請求項６】
請求項１乃至５のいずれか１項に記載のバックライト装置と、
該バックライト装置からの光が照射される液晶パネルとを備えることを特徴とする液晶表示装置。
【請求項７】
請求項１または２の何れか１項に記載のバックライト装置と、
該バックライト装置からの光が照射される液晶パネルとを備える液晶表示装置であって、前記第一光学シートは反射偏光シートであり、
前記反射偏光シートの透過軸方向と前記液晶パネルの短辺方向が平行になるように配置されていることを特徴とする液晶表示装置。
【請求項８】
前記第二光学シートをプリズムシート又はウェーブシートとし、当該プリズム又はウェーブの配列方向を、前記液晶パネルに設けられた画素の配列方向である垂直方向あるいは水平方向に対して、画面法線方向を軸として一定の角度だけ回転させた配置としたことを特徴とする請求項６又は７に記載の液晶表示装置。
【発明の詳細な説明】
【技術分野】
【０００１】
本発明は、光学シートを備えたバックライト装置、及び液晶表示装置に関する。
【背景技術】
【０００２】
近年、フラットパネルディスプレイとして液晶表示装置が盛んに利用されており、液晶テレビなどその用途が広がっている。液晶表示装置に用いられるバックライト装置の簡単な構成の一例を図６（ａ）に示す。
【０００３】
図６（ａ）に示すバックライト装置は、光源１１と、光源１１を収納し前方に光源１１を放射する開放面を設けた筐体１２と、開放面に設けられ、光源光を透過して所望の輝度分布を有する光に変換する光学部材１３とからなる直下型のバックライト装置である。光学部材１３は、例えば光源光を有効に開放面に導くプリズムシート（光学シート１４）、光源光を拡散させてその利用効率を向上させる拡散プレート（光学プレート１５）等で形成される。そして、筐体１２の開放面側に液晶パネル（図示せず）が設けられることによって、液晶表示装置が構成される。
【０００４】
ここで、図６（ｂ）に示すように、光学部材１３の周辺端部は筐体１２の開放面に多少の空間ｘ、ｙを設けた状態で配設されている。これは、光源１１からの放射熱や、バックライト装置を液晶表示装置に用いたときの種々回路駆動による熱上昇などが原因となって光学部材１３が熱膨張を起こして伸長するため、膨張した分の逃げ空間を確保したものである。
【０００５】
上記のような液晶表示装置は年々大型化、薄型化される傾向にあり、それに伴って、光学部材１３も大型サイズのものが用いられ、光学部材１３は光学シートのように薄く、剛性の小さいものが用いられるようになっている。図６の構成の液晶表示装置が大型化されると、図７に示すように薄く剛性の小さい光学シート１４がその自重によって撓んでシワを形成してしまうという事態が生じる。これを防止するには、図６（ｂ）に示した空間ｙをなくして光学部材１３を挟み込んで押さえつけるという方法が考えられるが、そうすると今度は上述したように光学部材１３の熱膨張による伸長が原因となってシワを形成してしまう。
【０００６】
なお、本明細書でいう「シワ」とは、光学シートが撓んで、伸びきった状態を止めていない状態をいう。
【０００７】
このように生じたシワは、液晶表示装置の使用時、表示部において部分的に黒みがかった部分（暗い部分）とそうでない部分（明るい部分）とを生じさせる、いわゆる輝度ムラの要因となっている。さらに光学シート１４が撓むことによって、液晶パネルに接触し、特に黒画面表示時においてその接触した部分が画面上に青みがかって視認されてしまう（青シミ）という色ムラの原因ともなり、高品位の液晶表示装置を提供する上で非常に大きな問題となっている。
【０００８】
このような問題に対して、比較的厚く剛性を備えている光学プレート２枚で、比較的薄くかつ熱による伸縮性を備えた光学シートを狭持した構造とすることにより、光学シートの自重や熱膨張によるシワの発生を防止する技術が提案されている（例えば、特許文献１参照）。
【０００９】
特許文献１に記載の構成を、図８を参照して説明する。図６で示した薄く剛性の小さい光学シート１４を比較的厚く剛性の大きい光学プレート１６ａ、１６ｂで挟持すると共に、筐体１２の開放面側において、光学シート１４や光学プレート１６ａ、１６ｂの熱膨張係数等を考慮したうえで、光学シート１４及び光学プレート１６ａ、１６ｂの熱による伸長を阻害しないように設計した弾性部材１７で光学部材を押さえつけるようにしている。このような構成により、自重によって撓んでシワを形成することを防止しつつ、熱伸長によるシワの形成も防止できるとしている。
【００１０】
【特許文献１】特開平１０−１０５０７４号公報
【発明の開示】
【発明が解決しようとする課題】
【００１１】
しかしながら、特許文献１のように光学シートを光学プレートによって挟み込んだ構成とした場合、表示装置の温度上昇に伴って光学シートが伸長したとき、光学シートと光学プレートの間の摩擦力により光学シートの伸長作用が妨げられる。この摩擦力は、たとえ弾性部材１０により弾力的に光学プレートで挟持したとしても発生するものであり、使用温度や静電気、摩擦力等を考慮した全ての条件において光学シートの伸縮が妨げられないような弾性部材を準備することはかなり困難である。
【００１２】
また、光学シート及び光学プレートはプラスチック等の誘電体素材で形成されていることが一般的であり、光学プレートと光学シートの互いの表面に発生する静電気によって吸着作用が生じて光学シートの伸長作用が妨げられるという問題もある。
さらに、上述したような液晶表示装置の薄型化の要求に反する構成となっており、薄型の光学シートを用いているという特徴が生かせない。
【００１３】
そこで、上述のような液晶表示装置の大型化に伴い、特許文献１のような技術とは別に、図９のように、光学シートを保持具１９により吊るすことによって光学シートの自重による撓みを防止するという技術がある。
【００１４】
図９（ｂ）は光学シートを正面から見た図である。図９（ｂ）に示すように、光学シート１４を吊るすための孔１８の形状を保持具１９が貫通できる大きさよりも多少の余裕を持たせることによって熱による伸長を阻害しないようにし、光学シート１４の伸長率も考慮した設計とする工夫もなされている。このように、光学シートの自重による光学シートの撓み、熱伸長による光学シートのシワの形成を防止し、高品位の液晶表示装置を提供するために多くの工夫がなされてきた。
【００１５】
ところで、上記のようなシワを発生させる原因に加えて、バックライト装置内に発生する静電気によって隣接する光学シートどうしが密着するという原因によって光学シートにシワを形成するという現象が生じている。これを別のバックライト装置の構成を用いて説明する。
【００１６】
図１は、図６とは異なる構成であるバックライト装置を示す図で、光源１と、筐体２と、反射板３と、拡散板５と、反射偏光シート６と、プリズムシート７とを有している。この直下型のバックライト装置に液晶パネル８が設けられることにより液晶表示装置が構成される。上記反射偏光シート６及びプリズムシートは、図６の光学プレート１５の如く剛性の比較的大きいものではなく、光学シート１４のように比較的薄く剛性の小さいものである。
【００１７】
図１（ａ）に示すように、筺体２内に複数の光源１が設けられ、筺体２の開放面とは反対側の内面には反射板３が設けられている。筺体２の開放面側には、光源１側から順に、光源１からの光を拡散させる拡散板５と、拡散された光を選択的に反射／透過させる反射偏光シート６と、反射偏光シート６を透過した光を有効に液晶パネル８に導くプリズムシート７と、プリズムシート７によって導かれた光によって映像表示を行う液晶パネル８とが配置されている。
【００１８】
上記構成のように近年では液晶表示装置において用いられる光学シートの中でも液晶テレビ等で反射偏光シートが多く使用されている。反射偏光シートが用いられるようになっているのは、これをバックライト装置に導入すると、光源から発せられた光のうち特定方向の偏光光を選択的に透過させることができるのに加えて、選択的に反射した光は一度バックライト内部の反射板等の拡散反射作用によって再度無偏光になった光のうち特定方向の偏光光を再び選択的に透過させる光の再利用効果が可能となり、特定方向の偏光光をより多くバックライトから抽出することができ、特定方向のみの偏光性が要求される液晶パネルにより多くの偏光した光を供給することが可能となるからである。これにより、一層明るい液晶表示装置を提供することができるため、特に高輝度が要求される昨今の液晶テレビ等のバックライト装置に良く用いられる。
【００１９】
しかし、このように複数の薄型の光学シートが用いられるバックライト装置において、光学シートの素材が一般にプラスチック系素材であるため、各光学シートに発生する静電気を除去することは極めて困難であるという性質も有する。よって、この静電気によって隣接する帯電した光学シートとの間で電気的吸着力が発生し、互いのシートが引かれ合い密着し合った状態を形成してしまうという問題が生じている。
【００２０】
上記反射偏光シート６を例にとると、プラスチック製等の保護シートが貼付けられた状態で提供され、生産工程上でこの保護シートを剥す作業が必要になることが多い。しかしながら、一体化している反射偏光シート６と保護シートとは同じプラスチック製であり、その内部には正負の電荷を有する双極子が多数存在する。このため、この保護シートを剥す作業によってそれぞれのシートの剥した面には、対抗する正あるいは負に帯電した電荷を失い静電気を発生してしまう。
【００２１】
また、バックライト装置内に設けられた光源１が蛍光管である場合、高周波（１０〜１００ｋＨｚ程度）の高電圧が印加されるのが一般的であり、このような部品からは近くの近接導体（金属フレームやシールド板のような金属素材）へと流れる漏れ電流が発生しやすい。従って、光源の点灯中のバックライト装置内にはこのような電荷による自由電子が浮遊しやすいために静電気を誘発しやすい。
【００２２】
さらに、バックライト装置を輸送する際にはバックライト装置内部の各部品同士の摩擦等によって静電気が発生し易くなる。これがバックライト装置内部への静電気帯電を誘発しやすくなり、光源の点灯後にシワが生じ易くなることもある（これらの現象に関しては、振動試験後の点灯試験になどより検証されている。）。
【００２３】
また、反射偏光シートのシワ現象は確率的に発生する。静電気の帯電量は極めて不確定要因が多く、周辺大気中の帯電状況や前述の輸送管理状態等によって静電気量が異なってくるからである。
【００２４】
このように、光学シートに静電気を誘発させる要因は種々存在し、光学シートの熱伸長という問題に加えて、静電気による光学シートどうしの密着が生じると、これまで述べたような図９の構成では光学シートに発生するシワを十分に防止することができない。
【００２５】
静電気によって光学シートが密着した状態で、熱伸長が生じると、変位自在に配設された光学シートに例えば図２のようにシワを形成してしまう。
【００２６】
本発明は、以上のような背景のもと、液晶表示装置において重大な課題である輝度ムラ、色ムラを防止して高品位な液晶表示装置を提供すべく、バックライト装置内に設けられた光学シートにシワが形成されることを防止することを目的として、試行錯誤を繰り返してなされたものである。
【課題を解決するための手段】
【００２７】
本発明は、上記のような課題のもと、第一方向と第二方向に異なる線膨張係数を有し、一方向における線膨張係数が第二方向の線膨張係数よりも大きい第一光学シートと、前記第一光学シートに隣接して配置する第二光学シートを備えるバックライト装置であって、前記第一光学シートの前記第一方向における線膨張係数と、前記第二光学シートの前記第一方向に対応する方向における線膨張係数とを近似させたことを特徴とする。
【００２８】
また、第一方向に所定値以上の線膨張係数を有する第一光学シートと、前記第一光学シートに隣接して配置する第二光学シートを備えるバックライト装置であって、前記第一光学シートの前記第一方向における線膨張係数と、前記第二光学シートの前記第一方向における線膨張係数を近似させたことを特徴とする。
【００２９】
また、前記第一光学シートに反射偏光シートを用い、前記第二光学シートにプリズムシート、ウェーブシート、拡散シート、ＩＴＯシートの群から選択されるいずれかひとつを用い、前記第一方向は前記反射偏光シートの透過軸方向とすることを特徴とする。
【００３０】
また、前記第二光学シートを、ポリカーボネート系樹脂、ポリスチレン系樹脂、ポリアセタール系樹脂、ナイロン６系樹脂からなる群の中から選択される少なくともいずれか１つの素材で形成することを特徴とする。
【００３１】
また、前記第二光学シートを、前記第一光学シートに対して前記バックライト装置内に設けられる光源と反対側に配置することを特徴とする。
【００３２】
また、上記バックライト装置にと、該バックライト装置からの光が照射される液晶パネルとで液晶表示装置を構成することを特徴とする。
【００３３】
また、上記バックライト装置と液晶パネルとで液晶表示装置を構成し、前記第一光学シートとして反射偏光シートを用い、前記反射偏光シートの透過軸方向と前記液晶パネルの短辺方向が平行になるように配置されていることを特徴とする。
【００３４】
また、上記バックライト装置と液晶パネルとで液晶表示装置を構成し、前記第二光学シートをプリズムシート又はウェーブシートとし、当該プリズム又はウェーブの配列方向を、前記液晶パネルに設けられた画素の配列方向である垂直方向あるいは水平方向に対して、画面法線方向を軸として一定の角度だけ回転させた配置としたことを特徴とする。
【発明の効果】
【００３５】
上記のような構成にすることにより、異なる二方向に異なる線膨張係数を有する第一光学シートのうち、線膨張係数が大きい第一方向の熱による伸長が大きく、隣接する第二光学シートと静電気によって密着するような状況でも、各光学シートにシワを形成することを防止できる。
【００３６】
また、特定方向に大きな線膨張係数を有するという特徴を有する第一光学シートが、隣接する第二光学シートと静電気によって密着するような状況でも、各光学シートにシワを形成することを防止できる。
【発明を実施するための最良の形態】
【００３７】
本発明の実施の形態による液晶表示装置について、図面を参照して説明を行う。なお、本明細書における第一方向と第二方向は異なる方向である。
【００３８】
第1の実施の形態として、図１（ａ）の液晶表示装置を例として説明する。図１（ａ）の液晶表示装置の構成は既に上で述べた通りであり、特に、比較的剛性が小さく薄型の光学シートとして反射偏光シート６とプリズムシート７とがそれぞれの面の法線方向に隣接して配置されている。「隣接」状態とは、反射偏光シート６とプリズムシート７が接触していてもよいし、多少の隙間を持たせてもよく、図１においては、説明の便宜上隙間を持たせて記載している。一般には接触している（離反は可能な状態）ことが多い。
【００３９】
図１（ｂ）は液晶パネル８側から見た反射偏光シート６とプリズムシート７との配置関係を示す図である。反射偏光シート６は、その構造が特定方向に配向性を有した薄膜の多層構造である。その特定方向とはいわゆる透過軸方向（第一方向）であり、当該透過軸方向の線膨張係数は反射軸方向（第二方向）のそれに比べて非常に大きく、透過軸方向において特にシートが伸び易いという特性を有する。
【００４０】
具体的に、本実施の形態では反射偏光シート６としてスリーエム製Ｄ−ＢＥＦ−Ｍ（登録商標）を用いている。このシートの透過軸方向（第一方向）の線膨張係数は約７．６２×１０−５／Ｋであり、反射軸方向の線膨張係数は２．２９×１０−５／Ｋである。剛性は小さく、シワ形成の影響を受けやすいものとなっている。
【００４１】
ここで、反射偏光シート６のように薄型で剛性が比較的小さく特定方向（本実施の形態では透過軸方向）に大きな線膨張係数を有する光学シートを第一光学シートと称し、第一光学シートに隣接して配置される薄型で剛性が比較的小さい光学シートを第二光学シート（本実施の形態ではプリズムシート７）と称する。
【００４２】
そして、第一光学シートにおいて、二方向に異なる線膨張係数を有するもののうち、反射偏光シート６の透過軸方向のように線膨張係数が大きい方向を第一方向、線膨張係数が小さい方向を第二方向と規定し、図１（ｂ）に示すように反射偏光シート６を配置したときの水平方向を第一方向（透過軸方向）、鉛直方向を第二方向（反射軸方向）としている。  
【００４３】
プリズムシート７は、反射偏光シート６に隣接して配置したときの第一方向および第二方向に対応する各方向において熱膨張係数がほぼ同等（多少は異なる）であり、その線膨張係数は反射偏光シート６の透過軸方向（第一方向）のそれよりも小さい。剛性は小さいが、上記反射偏光シート６と比較すると一般的にやや大きい。
【００４４】
上記のように、薄く比較的剛性の小さい光学シートが隣接して配置された液晶表示装置においては、熱によるシートの伸長と静電気とが原因となって図２のようにシワを形成してしまう。
【００４５】
これを本実施の形態において考察すると、図１（ｂ）のように反射偏光シート６とプリズムシート７が隣接した関係で配置されており、各シートが熱によって伸長したときは、反射偏光シート６の透過軸方向（第一方向）の伸長量はプリズムシート７の反射偏光シート６の透過軸方向（第一方向）に対応する方向の伸長量よりも大きいため、静電気による密着によって反射偏光シート６の透過軸方向（第一方向）の伸長が阻害される。しかも、反射偏光シート６の剛性がプリズムシート７と比較して小さいため、図２のようにシワを形成してしまうこととなる。
【００４６】
この形成されたシワが原因となって、表示画面に輝度ムラを発生させ、さらには撓んだシートが液晶パネル８に接触して青みがかった色シミを発生させてしまう。
【００４７】
本実施の形態では以上のような静電気を誘発しやすい光学シートにおいて、特に反射偏光シート６が透過軸方向（第一方向）に熱による伸長量が多く、隣接したプリズムシート７との間の伸長量差が大きいこと着目して、各光学シートの伸長率（線膨張係数）がどのようであればシワの発生を防止できるかについて考察した。
【００４８】
まず、反射偏光シート６のように一方向（透過軸方向）に伸長しやすい性質を持っているシートを使用し、このシートを使用するのが光学特性上好ましい場合、隣接するシートの設計を変更することが考えられる。
【００４９】
本実施の形態では、第一光学シートにＤ−ＢＥＦ−Ｍ（反射偏光シート６）を用いた本実施の形態においては、プリズムシート７（第二光学シート）の反射偏光シート６の透過軸方向（第一方向）に対応する方向において、反射偏光シート６（第一光学シート）の透過軸方向（第一方向）とほぼ同等の伸長量を有する素材でプリズムシート７を形成することとした。
【００５０】
これは、先に述べたように反射偏光シート６は二方向に異なる線膨張係数を有しており、線膨張係数が大きい透過軸方向の伸長量がシワを発生させる大きな要因となっていると考えられることから、これに着目して隣接して配置するプリズムシート７の反射偏光シート６の透過軸方向（第一方向）に対応する方向の線膨張係数を近似させることによって、図２のように発生していたシワ防止しようとしたものである。
【００５１】
具体的には、上記反射偏光シート６の透過軸方向の線膨張係数約８×１０５／Ｋと近い値を有する材料でプリズムシート７を形成することを考えた。プラスチック性能表（技術資料：『スミペックス技術データ小ブック（住友化学アクリル事業部発行）』より）によると、熱膨張率（前記線膨張係数に相当）が６〜１０×１０−５／Ｋ程度の素材（ポリスチレン（６〜８×１０−５／Ｋ）、ポリアセタール（８．１×１０−５／Ｋ）ポリカーボネート（６．６×１０−５／Ｋ）、ナイロン６（８．３×１０−５／Ｋ））等で形成するのが好適である。
【００５２】
その代表として、ポリカーボネート（ＰＣ）系樹脂でプリズムシート７を形成し、反射偏光シート６の透過軸方向（第一方向）のシワの発生を観察する試験を行った。比較対象サンプルとしてポリエステル系樹脂で形成されたスリーエム製プリズムシート『ＲＢＥＦ９０／５０−８Ｔ』（登録商標）シリーズの『９０／５０−８Ｔ』タイプ（線膨張係数２．２５×１０−５／Ｋ）を用い、シワの発生回数を考察した。
【００５３】
試験方法としては、反射偏光シート６のシワ現象が静電気などの不確定要因によって確率的に発生する特徴を有することから、複数実施回数を行った頻度試験（試験回数２０回）によって比較した。その結果、液晶画面の輝度ムラに影響を与える程度の反射偏光シート６のシワ現象の発生回数は、プリズムシートとしてＰＣ系樹脂を用いた場合が１回／２０回中で、ポリエステル樹脂を用いた場合が１１回／２０回中となり、プリズムシート７の線膨張係数が反射偏光シート６の透過軸方向（第一方向）の線膨張係数により近いＰＣ系樹脂でプリズムシート７を形成した方が反射偏光シート６のシワ現象を引き起こす頻度が少なくなることが確認された。
【００５４】
この現象に関して、プリズムシート７と反射偏光シート６との伸長量差（第一方向の長さが４００ｍｍで、かつ、温度変化範囲が６０℃〜１０℃（電源ＯＮ時から表示装置の温度環境が一定になるまでの温度上昇変化の最大範囲を仮定した温度変化範囲）の場合）の場合として比較すると、プリズムシート７に用いたポリエステル樹脂（ＰＥ）の線膨張係数は１．５〜３×１０−５／Ｋであり、仮に平均値で２．２５×１０−５／Ｋで計算すると以下の計算式により約０．４５ｍｍの伸長量（伸長率０．１１）と求まる。
【００５５】
（伸長量）  ＝（線膨張係数）×（温度変化範囲）×（第一方向の長さ）
＝（２．２５×１０−５／Ｋ）×（６０−１０Ｋ）×（４００ｍｍ）
＝０．４５
【００５６】
これに対し、ＰＣ樹脂の線膨張係数は６．６×１０−５／Ｋであり、計算すると同条件のシートで約１．３１ｍｍの伸長量（伸長率０．３３）である。
【００５７】
一方、反射偏光シート６の透過軸方向の伸長量は約１．５２ｍｍ（伸長率０．３８）であることから、ポリエステル樹脂と反射偏光シートの透過軸方向の伸長差は以下の式により、約１．０７ｍｍ（伸長率差０．２７、線膨張係数差５．３７×１０−５／Ｋ）である。
【００５８】
（伸長差）  ＝｜（ＰＥ樹脂の伸長量）−（反射偏光シートの透過軸方向の伸長量）｜
＝｜（０．４５ｍｍ）−（１．５２ｍｍ）｜
＝１．０７ｍｍ
【００５９】
これに対し、ＰＣ系樹脂場合は約０．２１ｍｍの伸長差（伸長率差０．０５、線膨張係数差１．０２×１０−５／Ｋ）に抑えられている。このような数字的根拠からも、プリズムシート７はポリエステル樹脂よりも、ＰＣ系樹脂で形成するのが好ましくこれによって反射偏光シート６のシワの発生頻度が抑えられることが裏付けられる。
【００６０】
これは、反射偏光シート６とプリズムシート７が静電気などの原因により密着しあっているという状況下で、反射偏光シート６のうち伸長しやすい方向である透過軸方向（第一方向）の線膨張係数を、プリズムシート７のうち反射偏光シート６の透過軸方向に対応する方向の線膨張係数を近似させたことにより、プリズムシート７の伸長量は大きくなるものの、図３のように両シート６、７が密着しあった状態でもほぼシワを発生することなく反射偏光シート６とほぼ同じ率で熱伸長するためである。
【００６１】
ここで、前記温度環境試験におけるシワ発生頻度と、反射偏光シート６の反射軸方向の線膨張係数とプリズムシート７の線膨張係数との差の関係を図１０に示す。図１０に示すように、縦軸にシワの発生頻度、横軸にプリズムシートと反射偏光シート透過軸方向の線膨張係数の差を示した表である。前記試験で得られた結果に加えて、シワの発生メカニズムが確率的に発生することから横軸の線膨張係数差に対しその発生頻度の変化を増しながら変化することを仮定して、図のように累乗近似式に沿った曲線を想定し、作成した。
【００６２】
図１０から分かるように、光学シートのシワ発生による生産上の不良率を１割以下とするためには、線膨張係数差は約２．３以下に設定するのが望ましいと言える。
【００６３】
すなわち、
（プリズムシート７の線膨張係数）−（反射偏光シート６の透過軸方向の線膨張係数）＜２．３×１０−５／Ｋ
であることが望ましい。
【００６４】
さらに具体的には、スリーエム製Ｄ−ＢＥＦ−Ｍ（登録商標）の透過軸方向（第一方向）の線膨張係数（約７．６２×１０−５／Ｋ）に対し、プリズムシート７の線膨張係数は、
（プリズムシートの線膨張係数）  ＝（７．６２±２．３）×１０−５／Ｋ
＝９．９２〜５．３２  ×１０−５／Ｋ
であることが望ましい。
【００６５】
以上では、反射偏光シート６の配置状態において、図２（ｂ）のように水平方向に透過軸方向（第一方向）、鉛直方向に反射軸方向（第二方向）とした場合で説明したが、水平方向に第二方向（反射軸方向）、鉛直方向に第一方向（透過軸方向）となるように配置しても構わない。
【００６６】
一般的には、表示装置が横長（例えば、縦：横＝３：４、縦：横＝９：１６等）であるから、水平方向に透過軸方向（第一方向）、鉛直方向に反射軸方向（第二方向）になるような配置方法の方が、より長い横方向の反射偏光シートの伸びと隣接する光学シートの伸びとを対応させることができるので、光学シートのシワを抑制する効果は高い場合が多い。
【００６７】
また、本実施の形態で説明した反射偏光シート６とプリズムシート７とは、反射偏光シート６が特定方向（透過軸方向）に伸長率（線膨張係数）が大きく、隣接するプリズムシート７よりも小さい剛性であるため、熱による伸長と、静電気による密着という２つの原因によって、反射偏光シート６側がシワになりやすいというものであるが、本発明の技術的思想はある光学シートにおける伸長率の大きい第一方向と、隣接する光学シートの第一方向と略同方向の伸長率（線膨張係数）を近似させることによって光学シートのシワの発生を防止するところにあり、多少の剛性の大小があっても、この近似によってシワの発生を低減できること言うまでもない。
【００６８】
また、反射軸方向（第二方向）については上述の通り線膨張係数が小さく、本実施の形態においては問題とならない。ただし、第二方向の線膨張係数が大きい場合でも隣接する第二光学シートの前記第二方向に対応する方向の線膨張係数を第一光学シートの第二方向の線膨張係数に近似させればシワの形成を防止できる。
【００６９】
また、本実施の形態では第一光学シートに反射偏光シート６、第二光学シートにプリズムシート７を用いているが、第一光学シートとして、特定方向（第一方向）に大きい線膨張係数（所定値以上：例えば伸長量が特に問題となってくる線膨張係数５．０×１０−５／Ｋ（２０型サイズ以上の液晶テレビで温度変化５０度の範囲で伸長量が１ｍｍ以上発生するケース））を有するものを用い、第二光学シートとしては、第一光学シートと隣接して配置される光学シートを用いるものであれば本技術的思想を適用すると光学シートにおけるシワの形成を有効に防止でき、本実施の形態で説明した光学シートに限られない。第二光学シートとして用いるものは、例えば、ウェーブシート、拡散シート、ＩＴＯシートが挙げられる。
【００７０】
ウェーブシートはプリズムシート７と同じ目的で用いられ、プリズムシート７の代わりに用いることができる。
【００７１】
拡散シートも、プリズムシート７の代わりに用いられることがあり、図１（ａ）においてプリズムシート７に代えて用いると反射偏光シート６と隣接状態となるので本発明を適用することができる。
【００７２】
ＩＴＯシートはパネル内の光学シートのアースを筐体２と統一し、画面ビートを抑えるために用いられる。よって、図１（ａ）の構成にＩＴＯシートを加えて使用することも多い。ＩＴＯシートは片面（パネル面側）に薄い金属の膜が貼り付けてあり、端の金属金具で抑えることにより筐体２とグランドを統一しているが、ＩＴＯシートと接触しているシートの静電気を完全に除去することは困難であり、やはり第一光学シートにＩＴＯが隣接して配置される場合でも本発明によってシワの形成を防止するのが好ましい。
【００７３】
また、本発明のように光学シートを設計することにより、仮に静電気が全く発生しない場合であってもシワが形成されない（熱によってシートが伸長するだけ）ことは言うまでもない。
【００７４】
＜第２の実施の形態＞
次に、本実施の形態では、第一の光学シートに反射偏光シートを用い、第二光学シートにプリズムシートあるいはウェーブシートを用い、この第二光学シート７を隣接する反射偏光シート６に対して液晶パネル８側に配置した構成を特徴としている。その理由は反射偏光シート６と液晶パネル８との接触による画面上の色ムラを低減するためである。つまり、例えば、何らかの要因で拡散板５が液晶パネル側に撓み反射偏光シート６が直接、液晶パネル８と部分的に接触した場合、その部分的に接触した部分と非接触部分との間において表示画面の色差が生じ、色ムラの原因となる。これは液晶パネル８のガラス表面に内在する偏光板が熱によってその配向状態を変化することによる。つまり、反射偏光シート６は光源１等から発する熱を有するが、液晶パネル８への熱の伝わり方は、液晶パネル８と反射偏光シート６との接触部分と非接触部分とで違いが生じる。
【００７５】
接触部分は、反射偏光シート６との熱伝導によって、非接触部分は熱伝導ではなく熱放射によって熱が伝わるため、画面上で熱分布が異なる。
【００７６】
以上の現象から、反射偏光シート６を液晶パネル８と隣合わせて接触させることは品質上問題がある。
【００７７】
そこで、本実施の形態による液晶表示装置においては、液晶パネル８と反射偏光シート６との間に、プリズムシート又はウェーブシートに代表される第二光学シート７を液晶パネル８側に配置した。これにより、プリズムシート７のプリズム面又はウェーブシートのウェーブ面が凹凸を有しているため液晶パネル８との接触面積を減少させることができ、両者の熱的な接触を極力避けることができるので、液晶パネル面への局所的な熱伝達を防止することが可能となり、表示画面上の色シミ、色ムラを防止することが可能となる。
【００７８】
＜第３実施の形態＞
第２の実施の形態のように、第二光学シート７にプリズムシート又はウェーブシートを用いる場合は、これらのシートの有するマイクロプリズム構造のプリズムピッチ間隔と液晶パネル８の画素ピッチ間隔との間で光学的干渉縞であるモアレを発生する場合がある。
そこで、本実施の形態は以下のような構成としている。
【００７９】
図４は、本実例による第二光学シートと液晶パネル８との関係を示す図である。
図４に示すように、液晶パネルを構成する画素は、符号８ａにおいて示すように、一般的に行列状（垂直方向と水平方向とに２次元的に）に配置されている（図４の符号８ａ−１と８ａ−２のそれぞれの方向）。これに対して、図４の符号７ａにおいて示すように、プリズム又はウェーブの配列方向を、垂直方向あるいは水平方向に合わせずに、画面法線方向を軸として一定の回転角を有し配置する（図４の符号７ａ−１）。このようにプリズムシート又はウェーブシートに適当な傾け角度を割り当てることにより、前述のモアレ現象を解消することができる。
【００８０】
また、反射偏光シート６の配置方向については、その熱膨張が著しい透過軸方向を表示画面の短辺方向に相当するように配列させた方が良い。熱膨張をしやすい方向を長辺方向にするより、短辺方向にした方が反射偏光シート６の画面長辺方向の熱伸長を極力少なく出来る。尚、液晶パネル８が有する偏光ガラスのうちバックライト側に面した偏光ガラスの透過軸は反射偏光シート６の透過軸に合わせて短辺方向にする。このように反射偏光シート６の透過軸方向と液晶表示部の短辺方向とが平行になるように配置することにより、表示画面長辺方向の反射偏光板の熱膨張を抑え、かつ、反射偏光シート６の透過軸方向の熱膨張も抑制することができるため、液晶画面上に発生し得る反射偏光シート６のシワによる輝度ムラを抑制することが可能となる。
【００８１】
＜第４の実施の形態＞
図５は、本実施の形態によるバックライト装置の一構成例を示す図である。図５に示すように、液晶表示装置は、光源１、筐体２、反射板３、導光板４、反射偏光シート６、プリズムシート７とを有している。このバックライト装置に液晶パネル８が設けられて液晶表示装置が構成される。図１と異なるのは、導光板４を用いて光源１の数を減らした構造としたところである。
【００８２】
本実施の形態による液晶表示装置は、例えば、バックライト装置の両端面にそれぞれ１本ずつ配置される光源１と、光源１からの光を均一化する導光板４と、導光板４の一面（裏面）側に配置され光を導光板４側に反射する面状の反射板３と、これらを収容する筺体２と、導光板４の他面（表面）側に配置され、光源１側から順に、導光板４からの光を選択的に反射／透過させる反射偏光シート６と、反射偏光シート６を透過した光を有効に液晶パネル８に導くプリズムシート７と、プリズムシートによって導かれた光によって映像表示を行う液晶パネル８とが配置されて構成されている。光源１が配置されている端面から導光板４内に導入された光は、導光板４内を全反射しつつ、他面（表面）側に出射される。
【００８３】
第１の実施の形態の場合と同様に、プリズムシート７の素材は反射偏光シート８の透過軸方向とほぼ同じ熱伸長率（線膨張係数）であることが望ましく、その数値はおおよそ、６〜９×１０５／Ｋ程度であることが好ましい。プリズムシート７を形成する具体的な素材に関しても、第１の実施の形態と同様であり、第二光学シートとしてはプリズムシート、ウェーブシート、拡散シート、ＩＴＯシートのいずれを含んでも良い。また、このシートの配置位置も、前述と同様に反射偏光板６と液晶パネル８の間に狭持された形態が液晶パネル８の色シミ、色ムラを解消することができ、より効果的である。
【産業上の利用可能性】
【００８４】
本発明のバックライト装置及び液晶表示装置は、液晶テレビなどに応用することができる。
【図面の簡単な説明】
【００８５】
【図１】（ａ）本発明の第１の実施の形態による液晶表示装置の構成例を示す断面図である。（ｂ）本発明の第1の実施の形態による液晶表示装置において、液晶パネル側から見た第一光学シートと第二光学シートの配置関係を示す図である。
【図２】（ａ）第一光学シート及び第二光学シートが撓んだときの様子を示す正面図である。（ｂ）第一光学シート及び第二光学シートが撓んだときの様子を示す上面図である。
【図３】（ａ）本発明を適用したときの第一光学シート及び第二光学シートが伸長したときの様子を示す正面図である。（ｂ）本発明を適用したときの第一光学シート及び第二光学シートが伸長したときの様子を示す上面図である。
【図４】本発明の第２の実施の形態による液晶表示装置の液晶パネルと第二光学シートとの配置関係例を示す図である。
【図５】本発明の第３の実施の形態による液晶表示装置の構成例を示す断面図である。
【図６】（ａ）従来の液晶表示装置の構成例を示す断面図である。（ｂ）光学シートと筐体との配置関係を示す断面図である。
【図７】従来の液晶表示装置において光学シートが撓んだときの様子を示す断面図である。
【図８】特許文献１に記載の液晶表示装置の構成を示す断面図である。
【図９】（ａ）従来の液晶表示装置において光学シート吊るす状態を示す断面図である。  （ｂ）従来の液晶表示装置において吊るした状態で用いられる光学シートの様子を示す正面図である。
【図１０】温度環境試験におけるシワ発生頻度と、反射偏光シートの反射軸方向の線膨張係数とプリズムシートの線膨張係数との差の関係を示す図である。
【符号の説明】
【００８６】
１：光源
２：筐体
３：反射板
４：導光板
５：拡散板
６：反射偏光シート
７：プリズムシート
８：液晶パネル
【図１】
2005050802.tif 000003
【図２】
2005050802.tif 000004
【図３】
2005050802.tif 000005
【図４】
2005050802.tif 000006
【図５】
2005050802.tif 000007
【図６】
2005050802.tif 000008
【図７】
2005050802.tif 000009
【図８】
2005050802.tif 000010
【図９】
2005050802.tif 000011
【図１０】
2005050802.tif 000012
【手続補正書】
【提出日】平成16年8月23日(2004.8.23)
【手続補正１】
【補正対象書類名】明細書
【補正対象項目名】００３２
【補正方法】変更
【補正の内容】
【００３２】
また、上記バックライト装置と、該バックライト装置からの光が照射される液晶パネルとで液晶表示装置を構成することを特徴とする。
【手続補正２】
【補正対象書類名】明細書
【補正対象項目名】００５１
【補正方法】変更
【補正の内容】
【００５１】
具体的には、上記反射偏光シート６の透過軸方向の線膨張係数約８×１０−５／Ｋと近い値を有する材料でプリズムシート７を形成することを考えた。プラスチック性能表（技術資料：『スミペックス技術データ小ブック（住友化学アクリル事業部発行）』より）によると、熱膨張率（前記線膨張係数に相当）が６〜１０×１０−５／Ｋ程度の素材（ポリスチレン（６〜８×１０−５／Ｋ）、ポリアセタール（８．１×１０−５／Ｋ）ポリカーボネート（６．６×１０−５／Ｋ）、ナイロン６（８．３×１０−５／Ｋ））等で形成するのが好適である。
【手続補正３】
【補正対象書類名】明細書
【補正対象項目名】００８１
【補正方法】変更
【補正の内容】
【００８１】
＜第４の実施の形態＞
図５は、本実施の形態によるバックライト装置の一構成例を示す図である。図５に示すように、バックライト装置は、光源１、筐体２、反射板３、導光板４、反射偏光シート６、プリズムシート７とを有している。このバックライト装置に液晶パネル８が設けられて液晶表示装置が構成される。図１と異なるのは、導光板４を用いて光源１の数を減らした構造としたところである。
【手続補正４】
【補正対象書類名】明細書
【補正対象項目名】００８３
【補正方法】変更
【補正の内容】
【００８３】
第１の実施の形態の場合と同様に、プリズムシート７の素材は反射偏光シート６の透過軸方向とほぼ同じ熱伸長率（線膨張係数）であることが望ましく、その数値はおおよそ、６〜９×１０−５／Ｋ程度であることが好ましい。プリズムシート７を形成する具体的な素材に関しても、第１の実施の形態と同様であり、第二光学シートとしてはプリズムシート、ウェーブシート、拡散シート、ＩＴＯシートのいずれを含んでも良い。また、このシートの配置位置も、前述と同様に反射偏光シート６と液晶パネル８の間に狭持された形態が液晶パネル８の色シミ、色ムラを解消することができ、より効果的である。
【手続補正書】
【提出日】平成16年11月26日(2004.11.26)
【手続補正１】
【補正対象書類名】特許請求の範囲
【補正対象項目名】全文
【補正方法】変更
【補正の内容】
【特許請求の範囲】
【請求項１】
面内における第一方向と第二方向に異なる線膨張係数を有し、前記第一方向における線膨張係数が前記第二方向の線膨張係数よりも大きい第一光学シートと、
前記第一光学シートと異なる光学シートであって、前記第一光学シートと離反可能な状態で面の法線方向に隣接して配置する第二光学シートと、を備えるバックライト装置であって、
前記第一光学シートの前記第一方向における線膨張係数と、前記第二光学シートの前記第一方向に対応する方向における線膨張係数とを近似させたことを特徴とするバックライト装置。
【請求項２】
面内における第一方向に所定値以上の線膨張係数を有する第一光学シートと、
前記第一光学シートと異なる光学シートであって、前記第一光学シートと離反可能な状態で面の法線方向に隣接して配置する第二光学シートと、を備えるバックライト装置であって、
前記第一光学シートの前記第一方向における線膨張係数と、前記第二光学シートの前記第一方向における線膨張係数を近似させたことを特徴とするバックライト装置。
【請求項３】
前記第一光学シートは反射偏光シートであり、
前記第二光学シートはプリズムシート、ウェーブシート、拡散シート及びＩＴＯシートからなる群の中から選択される少なくともいずれか１つであり、
前記第一方向は前記反射偏光シートの透過軸方向とすることを特徴とする請求項１または２に記載のバックライト装置。
【請求項４】
前記第二光学シートを、ポリカーボネート系樹脂、ポリスチレン系樹脂、ポリアセタール系樹脂、ナイロン６系樹脂からなる群の中から選択される少なくともいずれか１つの素材で形成することを特徴とする請求項１乃至３に記載のバックライト装置。
【請求項５】
前記第二光学シートを、前記第一光学シートに対して前記バックライト装置内に設けられる光源と反対側に配置することを特徴とする請求項１乃至４の何れかに記載のバックライト装置。
【請求項６】
請求項１乃至５のいずれか１項に記載のバックライト装置と、
該バックライト装置からの光が照射される液晶パネルとを備えることを特徴とする液晶表示装置。
【請求項７】
請求項１または２のいずれか１項に記載のバックライト装置と、
該バックライト装置からの光が照射される液晶パネルとを備える液晶表示装置であって、
前記第一光学シートは反射偏光シートであり、
前記反射偏光シートの透過軸方向と前記液晶パネルの短辺方向が平行になるように配置されていることを特徴液晶表示装置。
【請求項８】
前記第二光学シートをプリズムシート又はウェーブシートとし、当該プリズム又はウェーブの配列方向を、前記液晶パネルに設けられた画素の配列方向である垂直方向あるいは水平方向に対して、画面法線方向を軸として一定の角度だけ回転させた配置としたことを特徴とする請求項６又は７に記載の液晶表示装置。
【手続補正２】
【補正対象書類名】明細書
【補正対象項目名】００２７
【補正方法】変更
【補正の内容】
【００２７】
本発明は、上記のような課題のもと、面内における第一方向と第二方向に異なる線膨張係数を有し、前記第一方向における線膨張係数が前記第二方向の線膨張係数よりも大きい第一光学シートと、前記第一光学シートと異なる光学シートであって、前記第一光学シートと離反可能な状態で面の法線方向に隣接して配置する第二光学シートとを備えるバックライト装置であって、前記第一光学シートの前記第一方向における線膨張係数と、前記第二光学シートの前記第一方向に対応する方向における線膨張係数とを近似させたことを特徴とする。
【手続補正３】
【補正対象書類名】明細書
【補正対象項目名】００２８
【補正方法】変更
【補正の内容】
【００２８】
また、面内における第一方向に所定値以上の線膨張係数を有する第一光学シートと、前記第一光学シートと異なる光学シートであって、前記第一光学シートと離反可能な状態で面の法線方向に隣接して配置する第二光学シートとを備えるバックライト装置であって、前記第一光学シートの前記第一方向における線膨張係数と、前記第二光学シートの前記第一方向における線膨張係数を近似させたことを特徴とする。